(57)【要約】【課題】複数枚のＣＤをＭＤに録音した場合、ＭＤの再生時にＣＤの切り替えに関係なく曲番が連番になってしまっている為、現在聴いている曲が何枚目のＣＤの何曲目か表示する。【解決手段】ＭＤ手動操作部４で録音待機状態にして、ＣＤ手動操作部でＣＤを再生することで、ＣＤからＭＤへの録音が開始する。この時ＣＤコントローラ７から検出信号が発信され、発信された検出信号をＭＤコントローラ３を介してＭＤ録音再生部２で“０００１−０１”のデータがＭＤに記録される。ＣＤが変わるごとに信号を受取り、ＭＤに記録することで、ＭＤに“ＣＤ番号―曲番”が記録される。この様に記録されたＭＤを再生すると、ＭＤ表示部１に“ＣＤ番号―曲番”が表示され、どのＣＤの何曲目かが分かる。【選択図】図１
2005129162.tif 000002
【特許請求の範囲】
【請求項１】
ディスク状記録媒体から再生されたディジタル情報信号をディジタル信号記録媒体に記録する手段と、
上記ディスク状記録媒体を再生する再生装置から再生されている上記ディスク状記録媒体の交換を示す検出信号を受け取る手段と、
上記検出信号または上記検出信号に基づいて生成された媒体識別信号を上記ディジタル情報信号に対応させて上記ディジタル信号記録媒体に記録する手段を備えたディジタル情報信号記録再生装置。
【請求項２】
請求項１において、
上記ディジタル信号記録媒体に記録された上記媒体識別信号を再生して表示する手段を備えることを特徴とするディジタル情報信号記録再生装置。
【請求項３】
請求項１において、
上記媒体識別信号は、受け取る毎にインクリメントする番号であることを特徴とするディジタル情報信号記録再生装置。
【請求項４】
ディスク状記録媒体から再生されたディジタル情報信号をディジタル信号記録媒体に記録するステップと、
上記ディスク状記録媒体を再生する再生装置から再生されている上記ディスク状記録媒体の交換を示す検出信号を受け取るステップと、
上記検出信号または上記検出信号に基づいて生成された媒体識別信号を上記ディジタル情報信号に対応させて上記ディジタル信号記録媒体に記録するステップを有することを特徴とするディジタル情報信号記録再生方法。
【請求項５】
請求項３において、
上記ディジタル信号記録媒体に記録された上記識別信号を再生することで表示するステップを有することを特徴とするディジタル情報信号記録再生方法。
【請求項６】
請求項４において、
上記媒体識別信号は、受け取る毎に番号をインクリメントするステップを有することを特徴とするディジタル情報信号記録再生方法。
【発明の詳細な説明】
【技術分野】
【０００１】
この発明は、ある情報記録媒体に記録されている記録情報を異なる情報記録媒体に記録するディジタル情報記録再生装置、例えば、コンパクトディスクに記録されているオーディオ情報をミニディスクへ記録する記録再生装置に関する。
【背景技術】
【０００２】
ディジタルオーディオ情報を記録再生するための記録媒体として、ＭＤ（ミニディスク）が広く普及している。ＭＤはＣＤ（コンパクトディスク）に記録されているオーディオ情報を記録することができる。
【発明の開示】
【発明が解決しようとする課題】
【０００３】
ＣＤからＭＤに録音（ダビング）する際、ＭＤに記録される曲のアドレス情報や番号（トラックナンバー）等の基本情報は自動的にＭＤに採用されているＵＴＯＣ（ユーザー・テーブル・オブ・コンテンツ）という領域に記録されるようになっている。また、ＭＤは記録したオーディオ情報を管理するためにＵＴＯＣには、各曲のタイトル等の文字情報を入力することも可能となっている。
【０００４】
しかしながら、ＭＤにＣＤのアルバム、シングル等を複数枚録音する場合、ＣＤの切り替えに関係なく曲番が連番になってしまうため、現在聴いている曲がどのＣＤの何曲目なのかを判断し難いという問題点がある。
【０００５】
そこで、各曲にタイトル等を記録することにより対応する方法も考えられるが、タイトル等の文字情報は手動で入力しなければならないため手間がかかる。多くの曲を録音する場合にはさらに煩雑な作業となってしまう。
【０００６】
録音時間を通常のステレオ録音の２倍（ＬＰ２）または４倍（ＬＰ４）長くステレオ録音できるＭＤＬＰのように、ＣＤアルバムを複数枚録音することができる場合には、通常よりも多くの曲を録音できるため、さらに混乱を招いてしまう可能性がある。例えば、４枚のＣＤを録音しているＭＤＬＰにおいて、例えば曲番が３４という表示がされても、何枚目のＣＤの何曲目か判り難い。
【０００７】
そのため、下記の特許文献１において、ＣＤにタイトル等を入力できるディスクメモの機能を利用し、その内容をＭＤのディスクネームにそのままコピーする記録システムが提案されている。しかし、これを利用するにはＣＤのディスクメモに入力する必要があるので入力の手間がかかってしまう。
【０００８】
【特許文献１】特開平９−２３１６６５号公報
【０００９】
この発明は、かかる問題を解決するものであり、すなわち、ＭＤに複数枚のＣＤを録音しているような場合であっても、現在聴いている曲がどのＣＤの何曲目なのか容易に知ることができるディジタル情報記録再生装置を提供することにある。
【課題を解決するための手段】
【００１０】
ディスク状記録媒体から再生されたディジタル情報信号をディジタル信号記録媒体に記録する手段と、ディスク状記録媒体を再生する再生装置から再生されているディスク状記録媒体の交換を示す検出信号を受け取る手段と、検出信号または検出信号に基づいて生成された媒体識別信号をディジタル情報信号に対応させてディジタル信号記録媒体に記録する手段を備えたディジタル情報信号記録再生装置である。
【００１１】
また、ディスク状記録媒体から再生されたディジタル情報信号をディジタル信号記録媒体に記録するステップと、ディスク状記録媒体を再生する再生装置から再生されているディスク状記録媒体の交換を示す検出信号を受け取るステップと、検出信号または検出信号に基づいて生成された媒体識別信号をディジタル情報信号に対応させてディジタル信号記録媒体に記録するステップを有することを特徴とするディジタル情報信号記録再生方法である。
【００１２】
すなわち、この発明は、複数枚のＣＤからＭＤにダビングを行う際、ＭＤに例えば“ＣＤ番号−曲番”のように各曲に何枚目のＣＤかと何曲目かの情報を一緒に記録する。そのため、この様にデータが記録されているＭＤを再生した時、曲情報を表示する部分に“ＣＤ番号−曲番”が表示されるようになる。
【発明の効果】
【００１３】
この発明によれば、複数のＣＤをＭＤに録音する場合、例えば“ＣＤ番号−曲番”という情報も記録されるので、再生すれば現在聴いている曲がどのＣＤの何番目の曲であるかを容易に知ることができる。
【発明を実施するための最良の形態】
【００１４】
以下、この発明の実施形態について図面を参照しながら説明する。まず、図２に示すようなデータ構造をＭＤはもっており、ディスク全面にアドレスデータが入っている。最内周には、リードインエリア２１を持っており、ピットでＴＯＣ（テーブル・オブ・コンテンツ）が予め記録されている。ここには、記録可能エリア、ＵＴＯＣ２２のアドレスなどの基本的な情報が書き込まれている。
【００１５】
ＵＴＯＣ２２には上述したように記録されている曲のアドレス情報やディスクの空きエリアのアドレス情報が記録される。また、ディスクタイトル、曲名といった文字情報なども記録することができる。
【００１６】
そして、音楽信号が記録されるプログラムエリア２３があり、ディスクの外周にリードアウトエリア２４が。リードアウトエリア２４にはピット列またはグルーブが記録されており、ピックアップのガイドをする。ピックアップがプログラムエリア２３から飛び出してしまうことを防ぐ部位である。
【００１７】
以上のようなデータ構造をＭＤはもっており、例えば、ある曲をＭＤに記録すると、ピックアップの位置情報がＵＴＯＣエリア２２に書き込まれる。つまり、その曲がどのアドレスから、どのアドレスに記録されているかを書き込むようになっている。そのアドレスに対応して、ＵＴＯＣ内で曲番が付されるようになっている。
【００１８】
しかし、ここで付される曲番は連番であり、例えば録音対象がＣＤ１枚だけである場合には特に問題はないが、２枚、３枚と増えていくと曲数が増えていき、２枚目、３枚目とＣＤが切り替わるタイミングが分かり難く、どのＣＤの何曲目なのかを知ることが困難になる。そこで、この発明を以下に示すようなシステムを適用することで、録音した複数枚のＣＤのうち、何枚目のものか容易に判断することができ、さらに、録音後に、例えば曲のタイトルを入力するなどの管理作業を行う場合においても有効な効果をもたらす。
【００１９】
図１はこの発明を実施するためのオーディオシステムの一例であり、ＣＤの再生をおこなう機能を備えた部分（以下ＣＤ再生部と称する）とＭＤの記録再生をおこなう機能を備えた部分（以下ＭＤ記録再生部と称する）から構成されている。
【００２０】
ＭＤ表示部１は、再生されるＭＤに記録されている情報を表示するものであり、再生されているＭＤに録音されている何曲目かを示す曲番や、タイトル名が入力されていればタイトル名等が表示されるようになっている。
【００２１】
ＭＤ録音・再生部２は、ＭＤを再生する機能と、ＣＤに記録されているオーディオ情報を録音する機能を備えている。ＭＤ録音・再生部２は、ＭＤコントローラ３によって制御される。ＭＤコントローラ３は、ＭＤ手動操作部４から各種操作信号を受け付け、ＭＤ録音・再生部２を始めとするＭＤ録音再生部全体を制御する。
【００２２】
ＭＤ録音再生部２の構成の一例を、より詳細に示したものが図４である。記録時には、入力端子４１より入力されたオーディオデータはＤ／Ａ変換器４３でディジタル信号へ変換され、音声圧縮エンコーダ４５へ供給される。
【００２３】
耐振動用メモリコントローラ４６はＤＲＡＭ（Dynamic Random Access Memory）５１を使い、音飛びの防止をおこなう。音声圧縮エンコーダ５で圧縮されたオーディオデータは１度ＤＲＡＭ５１に溜め込み、それを順次取り出していく。耐振動用コントローラ４６は音声圧縮エンコーダ４５からデータを取り出す量、ＤＲＡＭ５１から読み出す量などの調整をおこなう。
【００２４】
ＤＲＡＭ５１から耐振動用メモリコントローラ４６を介して取り出されたデータは、ＣＩＲＣ（Cross Interleave Reed-Solomon Code）エンコーダ４７で誤り訂正パリティが付加され、ＥＦＭ（Eight to Fourteen Modulation）エンコーダ４７でＥＦＭ変調がなされる。
【００２５】
変調されたデータはヘッド駆動部５２を介し、記録用磁気ヘッド５９よりＭＤ６０に記録される。また、この時、光学ピックアップ５６、送りモータ５７、スピンドルモータ５８はサーボ部５５からの制御を受け、ＭＤ６０の回転や記録される位置などが制御される。サーボ部５５の制御はシステムコントローラ４８によりなされる。このシステムコントローラ４８はキー５０からの入力を受け付け、システムの全体動作の制御をおこなう部位である。また、動作状態を表示部４９に表示する。
【００２６】
再生時には、光学ピックアップ５５により読み取った再生データはＲＦアンプ５４に送られ、そこで取り出された再生ＲＦ信号をＥＦＭデコーダ４７へ送る。また、取り出されたトラッキングエラー信号、フォーカスエラー信号はサーボ５５へ供給され、アドレス情報はアドレスデコーダ５３に供給され復調される。復調されたデータはシステムコントローラ４８に供給され各種制御に用いられる。
【００２７】
ＥＦＭデコーダ４７へ送られた再生ＲＦ信号は、ＥＦＭ復調され、ＣＩＲＣデコーダ４７にてデコード処理され、メモリコントローラ４６によって、ＤＲＡＭ５１に溜め込む。溜め込んだデータをメモリコントローラ４５により、読みだしのタイミング、量を制御しながら音声圧縮デコーダ４５へ供給する。音声圧縮デコーダ４５により、デコード処理がなされ、Ｄ／Ａ変換器４４でアナログ信号に変換され出力端子４２からオーディオデータを出力する。
【００２８】
次に、図１を参照してＣＤ再生部について説明する。ＣＤ再生部５はＣＤ格納部６に装着されたディスクの再生をおこなうものである。ここでＣＤ格納部６は、複数枚のディスクを装着しておくことができるチェンジャ機能を備えたものであり、ＣＤ再生部５は装着された複数枚から１枚を取り出す。複数枚の連続再生も可能であり、その際にはＣＤの切り替えをおこないながら再生をおこなう。
【００２９】
ＣＤ再生部５およびＣＤ格納部６はＣＤコントローラ７によって制御される。ＣＤコントローラ７は、ＣＤ手動操作部８から各種操作信号を受け付け、ＣＤ再生部５を始めとするＣＤ再生部全体を制御する。
【００３０】
以上のようなオーディオシステムにおいて、図３のフローチャートに示す手順でＣＤからＭＤにダビングをおこなう。
【００３１】
まず、ステップＳＴ１では、ＭＤ手動操作部４でＭＤを録音待機状態にしておく。そして、録音したい１枚もしくは複数枚のＣＤをＣＤ格納部６に格納する。ＣＤ手動操作部８でＣＤの再生をおこなうことにより、ＣＤからＭＤにオーディオ情報の録音が開始される。
【００３２】
ＣＤが再生される時、ＣＤ再生部５は、まずＣＤ格納部６に装着されている複数枚のＣＤの内１枚目のＣＤを取り出す。そして、そのＣＤのＴＯＣのデータを読み取り、そのＣＤがＣＤ再生部５にて再生可能かどうかを判断し、再生可能であればＣＤコントローラ７内のメモリに書き込まれる。（ステップＳＴ２）
【００３３】
この時、ＣＤコントローラ７は１枚目のＣＤを検出したと判断し、ＭＤコントローラ３に検出信号を発信する。発信された信号をＭＤコントローラ３が受け取り、ＣＤ番号“００１”とする。（ステップＳＴ３）
【００３４】
ステップＳＴ４でＭＤに再生されているＣＤからの音楽信号が記録される。上述のようにＭＤでは、記録されたアドレスに対応して曲番が記録されるが、ここで記録されるのは、ステップＳＴ３で発信されたＣＤの検出信号である。この信号が、ＭＤコントローラー３からＭＤ録音・再生部２に送られ、“００１−０１”のデータがＭＤに記録される（ステップＳＴ５）。
【００３５】
次にステップＳＴ６において、録音する次曲がＣＤを切り替えておこなうのか、そうでないのかの判断がおこなわれる。ＭＤＬＰのように長時間の録音が可能であり、ＣＤアルバムでもそのまま複数枚の録音が可能である場合、また、ＭＤＬＰでなくてもＣＤシングルを複数枚録音する場合などＣＤが切り替わる場合には、ＣＤ格納部６において録音対象ＣＤへの切り替えがおこなわれる（ステップＳＴ７）。
【００３６】
切り替えられたＣＤがＣＤ再生部５で上述したようにＴＯＣのデータを読み取る。読み取ったＴＯＣはＣＤコントローラ７内のメモリに書き込まれる。この時、新たに書き込まれたＴＯＣにより、ＣＤが切り替えられたことをＣＤコントローラ７は検出し、検出信号を発信する。
【００３７】
発信された検出信号はＭＤコントローラ３が受け取り、上記ＣＤ番号をインクリメントする。すなわち、１枚目から２枚目にＣＤの切り替えがおこなわれたとすると、“００１”であったＣＤ番号を“００２”とし、曲番をリセットする。
【００３８】
このように、ＣＤが切り替わる毎に発信された検出信号を受け取ることで、何枚目のＣＤが再生されているかを識別し、ＣＤ番号をインクリメントしてオーディオ情報に対応されて記録していく。
【００３９】
ステップＳＴ６において、ＣＤが切り替わらない場合、そこで次の録音対象となっている曲があるかどうかの判断になる（ステップＳＴ８）。録音対象の曲がない場合は、ここで録音作業は終了となり、そうでない場合は、ステップＳＴ９へ移り、次の対象曲の録音動作に入る。この時は、新たにＣＤを読み込むことはないためＣＤ番号は変わらず、曲番がインクリメントされて記録される。
【００４０】
以上のように、ＣＤが変わる毎に読み込んだＣＤをＣＤコントローラー７が検出て検出信号が発し、何番目のＣＤであるかを示す“ＣＤ番号”がＭＤに記録されることになる。この様にデータが記録されたＭＤを再生すると、ＭＤ表示部１には“ＣＤ番号−曲番”が表示され、これにより現在聴いている曲が何枚目のＣＤの何曲目かを容易に知ることができる。
【００４１】
また、他に例えばプログラム再生などのようにランダムに再生されるオーディオ情報を録音するような場合においてもこの発明は適用できる。この場合、読み込んだＣＤのＴＯＣの情報からそのＣＤの何曲目かを判断し、さらに、ＣＤ格納部６に装着されているＣＤそれぞれに番号を付けることで、どのＣＤかも判断することができる。これらの検出は、各曲毎の識別信号を受け取ることで、これを記録し、曲単位での管理をおこなう。すなわち、例えば、１曲目に２枚目の３曲目、２曲目に１枚目の２曲目を録音すると、１曲目“００２−０３”、２曲目“００１−０２”のように記録され、この様に記録されたＭＤを再生し、１曲目“００２−０３”、２曲目“００１−０２”表示されるようになる。
【００４２】
なお、上述の実施例において、ＣＤからＭＤに記録する場合について説明したが、共にこれに限定されるものではない。複数枚のディスク状記録媒体からディジタル信号記録媒体へディジタルオーディオ信号を記録する場合であれば、この発明は適用可能である。
【図面の簡単な説明】
【００４３】
【図１】この発明が適用されたシステムの一例を示すブロック図である。
【図２】ＭＤのデータ構造を説明した図である。
【図３】この発明が適用されたフローチャートである。
【図４】この発明が適用されたシステムの一部を詳細に示したブロック図である。
【符号の説明】
【００４４】
１  ＭＤ表示部
２  ＭＤ録音・再生部
３  ＭＤコントローラ
４  ＭＤ手動操作部
５  ＣＤ再生部
６  ＣＤ格納部  
７  ＣＤコントローラ
８  ＣＤ手動操作部
【図１】
2005129162.tif 000003
【図２】
2005129162.tif 000004
【図３】
2005129162.tif 000005
【図４】
2005129162.tif 000006